(57)【要約】      （修正有）【課題】シャーシに装着されたカバーの上面の歪みを抑制することにより、カバーと光ピックアップ、光ディスクの隙間を詰めて、小型化を図ることができる光ディスク駆動装置を提供する。【解決手段】シャーシの第１側壁１０ｃから底面１０ｚに跨って四角孔１０ｄが開口され、カバーのフック部２０ｃには、第２側壁２０ｓ、爪部２０ｅ、板ばね部２０ｆが形成される。シャーシにカバーが装着されたとき、第２側壁２０ｓと第１側壁１０ｃとの密着及び爪部２０ｅと四角孔１０ｄの上端縁との係合によって、板ばね部２０ｆが発生する付勢力は、全てシャーシの第１側壁１０ｃによって受け止められ、カバーの天面２０ｔの歪みが防止される。【選択図】図４
2011118990.tif 000002
【特許請求の範囲】
【請求項１】
光ディスクを回転駆動するディスクモータと、前記ディスクモータによって回転駆動される光ディスクに光を照射し、その反射光を電気信号に変換することにより光ディスクに記録されている情報を読み取る光ピックアップと、前記ディスクモータ及び光ピックアップが搭載されるシャーシと、シャーシの上方に装着されるカバーを備えた光ディスク駆動装置において、
前記シャーシは、前記光ピックアップを搭載するための底面と、前記カバーを位置決めするために前記底面から起立された第１側壁と、前記第１側壁から前記底面に跨って開口された係合孔を有し、
前記カバーは、天面と、前記シャーシの第１側壁と当接されて係合されるフック部を有し、前記フック部は、前記シャーシの第１側壁と当接される第２側壁と、前記係合孔の上端縁に係合される爪部と、前記係合孔の上端縁に対向する端縁に嵌挿されて、前記爪部を前記係合孔の上端縁の方向に付勢するばね部を有していることを特徴とする光ディスク駆動装置。
【請求項２】
前記ばね部は、先端がＵ字状の板ばねであることを特徴とする請求項１に記載の光ディスク駆動装置。
【請求項３】
前記爪部は、第２側壁から起立されて成ることを特徴とする請求項１又は請求項２に記載の光ディスク駆動装置。
【請求項４】
光ディスクを回転駆動するディスクモータと、前記ディスクモータによって回転駆動される光ディスクに光を照射し、その反射光を電気信号に変換することにより光ディスクに記録されている情報を読み取る光ピックアップと、前記ディスクモータ及び光ピックアップが搭載されるシャーシと、シャーシの上方に装着されるカバーを備えたカバー固定構造において、
前記シャーシは、前記光ピックアップを搭載するための底面と、前記カバーを位置決めするために前記底面から起立された第１側壁と、前記第１側壁から前記底面に跨って開口された係合孔を有し、
前記カバーは、天面と、前記シャーシの第１側壁と当接されて係合されるフック部を有し、前記フック部は、前記係合孔の上端縁に係合される爪部と、前記係合孔の上端縁に対向する端縁に嵌挿されて、前記爪部を前記係合孔の上端縁の方向に付勢するばね部を有していることを特徴とするカバー固定構造。
【発明の詳細な説明】
【技術分野】
【０００１】
本発明は、光ディスク駆動装置及びそれに用いられるカバー固定構造に関するものである。
【背景技術】
【０００２】
従来から、ノートＰＣなどに代表されるポータブル機器には、内部の部品を保護するためのカバーが設けられた光ディスク駆動装置が搭載されている。図６は、このような光ディスク駆動装置の構成を示している。光ディスク駆動装置は、光ディスクを回転駆動するディスクモータ３と、光ディスクから情報を読み出す光ピックアップ４と、ディスクモータ３及び光ピックアップ４が搭載されるシャーシ１０と、シャーシ１０に取り付けられるカバー２０などで構成されている。光ディスク駆動装置の高さ寸法を抑制するために、カバー２０は、光ピックアップ４及び光ピックアップ４を光ディスクの径方向に移動可能に支持する構造と干渉しない程度に、できるだけ低く（シャーシ１０に接近させて）装着されている。
【０００３】
図７は、シャーシ１０及びカバー２０の構造を示している。シャーシ１０には、カバー２０を前後左右方向に位置決めするための側壁１０ａ、側壁１０ｃ、側壁１０ｅ、側壁１０ｇが一体的に設けられている。側壁１０ａには四角孔１０ｂが設けられており、カバー２０に設けられているフック部２０ａが係合される。また側壁１０ｃにはダボ１１ｄが設けられており、カバー２０のフック部２０ｂに設けている四角孔２２ｃが係合される（側壁１０ｅ、側壁１０ｇについても同様）。カバー２０の側壁には、先端部を折り曲げた形状の板ばね２０ｊが形成されている。
【０００４】
図８及び図９は、フック部２０ｂ及び板ばね２０ｊの周辺の構造を示している。カバー２０がシャーシ１０に装着されると、板ばね２０ｊは、先端部がシャーシ１０と当接し、カバー２０の側壁を上方（シャーシ１０から離れる方向）に付勢する。これにより、四角孔２２ｃの下縁とダボ１１ｄの下縁の当接状態が維持され、四角孔２２ｃとダボ１１ｄが強固に係合される。
【０００５】
しかしながら、板ばね２０ｊによってカバー２０の側壁が上方に付勢されると、図９において、２点鎖線で示すように、その付勢力がカバー２０の側壁から天面２０ｔに伝わり、カバー２０の上面が凹状に歪まされる。カバー２０の天面２０ｔが凹状に歪むと、光ピックアップ４や光ピックアップ４を光ディスクの径方向に移動可能に支持する構造とカバー２０が当接し、光ピックアップ４の移動に支障を来たす。また、光ピックアップ４のスキュー調整に必要な隙間が確保できないという問題が生ずる。この問題は、カバー２０の板厚を薄く設計した場合に顕著となる。そのため、カバー２０の高さ寸法を小さくすることが困難で、光ディスク駆動装置のさらなる小型化（薄型化）を阻む一因となっている。
【０００６】
図９においては、板ばね２０ｊの先端を外側に折り曲げた構造を示しているが、板ばね２０ｊの先端を内側に折り曲げた構造を採用した場合は、カバー２０の天面２０ｔが凸状に歪む。従って、回転駆動される光ディスクと当接しないように、光ディスクをカバー２０から離れた位置で支持しなければならず、光ディスク駆動装置のさらなる小型化を図ることが困難となる。
【０００７】
なお、上記図６乃至図９に示した光ディスク駆動装置とは別の技術として、特許文献１には、受光部で受光した光をトレイの外部から視認できるよう表示部を設けた装置が示されている。また、特許文献２には、防塵機能を備えたダストカバーを安定的に支持するための構造として、ダストカバーに弾性変位可能に一体突設されたＵ字板が示されている。特許文献３には、外装カバーの天板部の振動を効果的に防止するために、メインフレームと外装カバーの天板部との間に介在された板バネ部に関する技術が示されている。特許文献４には、ダストカバーと共にディスクドライブをシャーシに組み付ける際の作業性を高めるための仮固定用弾性部材に関する技術が示されている。
【先行技術文献】
【特許文献】
【０００８】
【特許文献１】特開２００２−０５０１６２号公報
【特許文献２】特開２００９−０２０９３８号公報
【特許文献３】特開２００２−０８３４９０号公報
【特許文献４】特開２００８−１１２５２９号公報
【発明の概要】
【発明が解決しようとする課題】
【０００９】
本発明は、上記課題を解決するためになされたものであり、シャーシに装着されたカバーの上面の歪みを抑制することにより、カバーと光ピックアップ、光ディスクの隙間を詰めて、小型化を図ることができる光ディスク駆動装置を提供することを目的とする。
【課題を解決するための手段】
【００１０】
上記目的を達成するために請求項１の発明は、光ディスクを回転駆動するディスクモータと、前記ディスクモータによって回転駆動される光ディスクに光を照射し、その反射光を電気信号に変換することにより光ディスクに記録されている情報を読み取る光ピックアップと、前記ディスクモータ及び光ピックアップが搭載されるシャーシと、シャーシの上方に装着されるカバーを備えた光ディスク駆動装置において、前記シャーシは、前記光ピックアップを搭載するための底面と、前記カバーを位置決めするために前記底面から起立された第１側壁と、前記第１側壁から前記底面に跨って開口された係合孔を有し、前記カバーは、天面と、前記シャーシの第１側壁と当接されて係合されるフック部を有し、前記フック部は、前記シャーシの第１側壁と当接される第２側壁と、前記係合孔の上端縁に係合される爪部と、前記係合孔の上端縁に対向する端縁に嵌挿されて、前記爪部を前記係合孔の上端縁の方向に付勢するばね部を有していることを特徴とする。
【００１１】
請求項２の発明は、請求項１に記載の光ディスク駆動装置において、前記ばね部は、先端がＵ字状の板ばねであることを特徴とする。
【００１２】
請求項３の発明は、請求項１又は請求項２に記載の光ディスク駆動装置において、前記爪部は、第２側壁から起立されて成ることを特徴とする。
【００１３】
請求項４の発明は、光ディスクを回転駆動するディスクモータと、前記ディスクモータによって回転駆動される光ディスクに光を照射し、その反射光を電気信号に変換することにより光ディスクに記録されている情報を読み取る光ピックアップと、前記ディスクモータ及び光ピックアップが搭載されるシャーシと、シャーシの上方に装着されるカバーを備えたカバー固定構造において、前記シャーシは、前記光ピックアップを搭載するための底面と、前記カバーを位置決めするために前記底面から起立された第１側壁と、前記第１側壁から前記底面に跨って開口された係合孔を有し、前記カバーは、天面と、前記シャーシの第１側壁と当接されて係合されるフック部を有し、前記フック部は、前記係合孔の上端縁に係合される爪部と、前記係合孔の上端縁に対向する端縁に嵌挿されて、前記爪部を前記係合孔の上端縁の方向に付勢するばね部を有していることを特徴とする。
【発明の効果】
【００１４】
請求項１の発明によれば、シャーシにカバーが装着されたとき、ばね部の発生する付勢力によって、第２側壁が第１側壁に密着するとともに爪部が係合孔に強固に係合される。この第２側壁と第１側壁との密着及び爪部と係合孔の上端縁との係合によって、ばね部が発生する付勢力は、全てシャーシの第１側壁によって受け止められ、カバーを薄く形成した場合であってもカバーの天面に凸状の歪は発生しない。従って、天面と光ディスクの干渉を防止しつつ、天面と光ディスクの隙間を小さくすることができ、光ディスク装置の小型化を図ることが可能となる。同様に、天面と光ピックアップの干渉を防止しつつ、天面と光ピックアップの隙間を小さくすることができ、光ディスク駆動装置の小型化を図ることが可能となる。
【００１５】
請求項２の発明によれば、金属板等の板材をプレス加工することにより、カバーにばね部を容易に形成することができるので、光ディスク駆動装置のコストダウンを図ることができる。また、Ｕ字状のばね部を係合孔に位置合わせした後カバーの天面をシャーシに押し込むことにより、カバーをシャーシに容易に装着できるので、光ディスク駆動装置の生産性を高めることができる。
【００１６】
請求項３の発明によれば、金属板等の板材をプレス加工することにより、カバーに爪部を容易に形成することができるので、光ディスク駆動装置のコストダウンを図ることができる。
【００１７】
請求項４の発明によれば、請求項１と同様に、カバー固定構造の小型化を図ることが可能となる。
【図面の簡単な説明】
【００１８】
【図１】本発明の一実施形態による光ディスク駆動装置の構成を示す斜視図。
【図２】同装置のシャーシとカバーの組み立て斜視図。
【図３】同装置のシャーシへのカバーの装着状態を示す斜視図。
【図４】同装置のフック部及びその周辺の構造を示す断面図。
【図５】同装置のシャーシへのカバーの装着状態を示す正断面図。
【図６】従来の光ディスク駆動装置の構成を示す斜視図。
【図７】従来のシャーシとカバーの組み立て斜視図。
【図８】従来のシャーシへのカバーの装着状態を示す斜視図。
【図９】従来のシャーシへのカバーの装着状態を示す正断面図。
【発明を実施するための形態】
【００１９】
本発明の一実施形態による光ディスク駆動装置について図面を参照して説明する。図１は、光ディスク駆動装置、特に光ディスク駆動装置の主要部を保護するカバー構造を示している。光ディスク駆動装置は、ディスクモータ３、光ピックアップ４、シャーシ１０、カバー２０などによって構成されている。ディスクモータ３は、装填された光ディスクを回転駆動する。光ピックアップ４は、光を光ディスクの記録面に照射し、その反射光を電気信号に変換することにより、光ディスクに記録されている情報を読み取る。シャーシ１０には、ディスクモータ３、光ピックアップ４などの各種部品が搭載され、その外側にカバー２０が装着されている。カバー２０の天面２０ｔには、光ピックアップと光ディスクとの間で光を透過させるための孔が形成されている。
【００２０】
図２は、シャーシ１０及びカバー２０の構造を示している。シャーシ１０には、カバー２０を前後左右方向に位置決めするための第１側壁１０ａ、第１側壁１０ｃ、第１側壁１０ｅ、第１側壁１０ｇが底面１０ｚから起立されて一体的に設けられている。第１側壁１０ａには、四角孔１０ｂがＬ字状に開口されており、カバー２０に設けられているコの字形状のフック部２０ａが係合される。また、底面１０ｚから第１側壁１０ｃにかけては、四角孔（係合孔）１０ｄがＬ字状に開口されており、カバー２０に設けられているフック部２０ｃが係合される。（第１側壁１０ｅについても同様）。また、底面１０ｚの四隅近傍には、四角孔１０ｋが形成されている。
【００２１】
カバー２０の前側の側壁には、四角孔１０ｂと係合されるフック部２０ａが天面２０ｔと一体的に設けられている。カバー２０の左右の側壁には、四角孔１０ｄと係合されるフック部２０ｃ及び四角孔１０ｋと係合されるフック部２０ｄが天面２０ｔと一体的に設けられている。フック部２０ｃは、天面２０ｔから延出された第２側壁２０ｓと、四角孔１０ｄのうち第１側壁１０ｃに形成されている上端縁及び側端縁と係合される一対の爪部２０ｅと、四角孔１０ｄのうち底面１０ｚに形成されている下端縁に嵌挿されるＵ字状の板ばね部２０ｆとを有している。爪部２０ｅは、第２側壁２０ｓの側端縁を起立することにより形成され、Ｕ字状の板ばね部２０ｆは、第２側壁２０ｓの先端近傍を湾曲させることにより形成されている。なお、フック部２０ｄは、四角孔１０ｋに嵌挿されるＵ字形状の板ばね部２０ｇを有している。
【００２２】
図３乃至図５は、シャーシ１０にカバー２０が装着されたときのフック部２０ｃと四角孔１０ｄの係合状態を示している。板ばね部２０ｆを四角孔１０ｄに挿入し、爪部２０ｅが四角孔１０ｄに係合するまで、板ばね部２０ｆを四角孔１０ｄに嵌挿させることにより、カバー２０の側壁がシャーシ１０に装着される。このとき、板ばね部２０ｆは、四角孔１０ｄの下端縁と当接されて、第１側壁１０ｃの方向に撓んでフック部２０ｃを矢印Ｗ方向に押し上げる。これにより、第１側壁１０ｃとフック部２０ｃが密着され、かつ爪部２０ｅが四角孔１０ｄの上端縁に強固に係合される。
【００２３】
板ばね部２０ｆがフック部２０ｃを矢印Ｗ方向に押し上げようとする付勢力は、フック部２０ｃの基端部にモーメントとして作用し、カバー２０の天面２０ｔを凸状に歪ませようとする。しかしながら、本実施形態においては、第１側壁１０ｃとフック部２０ｃとの密着及び爪部２０ｅと四角孔１０ｄの上端縁との係合によって、板ばね部２０ｆが発生する付勢力は、全てシャーシ１０の第１側壁１０ｃによって受け止められ、図５に示すようにカバー２０の天面２０ｔに凸状の歪は発生しない。
【００２４】
本実施形態の光ディスク駆動装置によれば、シャーシ１０にカバー２０が装着されたとき、板ばね部２０ｆの発生する付勢力によって、第２側壁２０ｓが第１側壁１０ｃに密着するとともに爪部２０ｅが四角孔１０ｄに強固に係合される。この第２側壁２０ｓと第１側壁１０ｃとの密着及び爪部２０ｅと四角孔１０ｄの上端縁との係合によって、板ばね部２０ｆが発生する付勢力は、全てシャーシ１０の第１側壁１０ｃによって受け止められ、カバー２０の天面２０ｔに凸状の歪は発生しない。従って、天面２０ｔと光ディスクの干渉を防止しつつ、天面２０ｔと光ディスクの隙間を小さくすることができ、光ディスク装置の小型化を図ることが可能となる。同様に、天面２０ｔと光ピックアップ４の干渉を防止しつつ、天面２０ｔと光ピックアップ４の隙間を小さくすることができ、光ディスク装置の小型化を図ることが可能となる。
【００２５】
また、金属板等の板材をプレス加工することにより、カバー２０に板ばね部２０ｆ及び爪部２０ｅを容易に形成することができるので、光ディスク駆動装置のコストダウンを図ることができる。また、Ｕ字状の板ばね部２０ｆを四角孔１０ｄに位置合わせした後カバー２０の天面２０ｔをシャーシ１０に押し込むことにより、カバー２０をシャーシ１０に装着できるので、光ディスク駆動装置の生産性を高めることができる。
【００２６】
なお、本発明は上記実施形態の構成に限られることなく、少なくともシャーシ１０にカバー２０が装着されたとき、第２側壁２０ｓと第１側壁１０ｃとの密着及び爪部２０ｅと四角孔１０ｄの上端縁との係合によって、板ばね部２０ｆが発生する付勢力は、全てシャーシ１０の第１側壁１０ｃによって受け止められるように構成されていればよい。また、本発明は種々の変形が可能であり、例えば、四角孔（係合孔）１０ｄ、第２側壁２０ｓ、爪部２０ｅ、板ばね部２０ｆの形状や配置は、図１乃至図５に示したものに限られることなく適宜設定することができる。
【符号の説明】
【００２７】
３    ディスクモータ
４    光ピックアップ
１０    シャーシ
１０ａ    第１側壁
１０ｄ    四角孔（係合孔）
１０ｚ    底面
２０    カバー
２０ｃ    フック部
２０ｅ    爪部
２０ｆ    板ばね部
２０ｔ    天面
２０ｓ    第２側壁
【図１】
2011118990.tif 000003
【図２】
2011118990.tif 000004
【図３】
2011118990.tif 000005
【図４】
2011118990.tif 000006
【図５】
2011118990.tif 000007
【図６】
2011118990.tif 000008
【図７】
2011118990.tif 000009
【図８】
2011118990.tif 000010
【図９】
2011118990.tif 000011